(57)【要約】【課題】雌雄のコネクタハウジング間のがたつきを防止するコネクタを提供することを目的とする。【解決手段】コネクタ装置１０の雄側コネクタハウジング１２には、２つの係合突部１４ａおよびそれらの間に形成されたロック係合突部１４ｂとを備えている。係合突部１４ａには、雄側コネクタハウジング１２の前方に向けて上り勾配を備えた傾斜面である係合面１４ｃが形成されて、ロック係合突部１４ｂには、雄側コネクタハウジング１２の嵌合方向に対して、ほぼ垂直なロック係合面１４ｄが形成されている。雌側コネクタハウジング２２には、２つの係合片２４ｂおよびそれらの間に形成されたロック係合片２４ｃとが形成されており、雄側コネクタハウジング１２および雌側コネクタハウジング２２が互いに嵌合する際に、係合片２４ｂは係合突部１４ａを乗越えて、係合面１４ｃと係合するとともに、ロック係合片２４ｃはロック係合突部１４ｂを乗越えて、ロック係合面１４ｄと隙間を保持して対向する。【選択図】  図４
2004207040.tif 000002
【特許請求の範囲】
【請求項１】
それぞれ内部に端子金具を収容する雌雄のコネクタハウジングを備え、
前記雌雄のコネクタハウジングの一側には係合突部が形成され、前記雌雄のコネクタハウジンングの他側には、その一端が固定されるとともに他端が揺動可能な片持ちの係合片が形成され、前記雌雄のコネクタハウジングが互いに嵌合する際に、前記係合片の他端が揺動して前記係合突部を乗越えた後、復帰して前記係合突部と係合することによって前記雌雄のコネクタハウジングの嵌合状態を保持するコネクタにおいて、
前記係合突部および前記係合片のうちの一方には、前記雌雄のコネクタハウジングの嵌合時に、前記雌雄のコネクタハウジングの間のがた詰めをするために、前記係合突部および前記係合片のうちの他方が係合する、前記雌雄のコネクタハウジングの嵌合方向に傾斜した係合面が形成されていることを特徴とするコネクタ。
【請求項２】
それぞれ内部に端子金具を収容する雌雄のコネクタハウジングを備え、
前記雌雄のコネクタハウジングの一側には係合突部およびロック係合突部が形成され、
前記雌雄のコネクタハウジンングの他側には、ともにその一端が固定されるとともに、前記雌雄のコネクタハウジングが互いに嵌合する際に、これらの他端が揺動して前記係合突部あるいは前記ロック係合突部を乗越えた後、復帰して前記係合突部あるいは前記ロック係合突部と係合する片持ちの係合片およびロック係合片が形成され、
前記係合片および前記係合突部のうちの一方には、前記雌雄のコネクタハウジングの嵌合時に、前記雌雄のコネクタハウジングの間のがた詰めをするために、前記係合突部および前記係合片のうちの他方が係合する、前記雌雄のコネクタハウジングの嵌合方向に傾斜した係合面が形成され、
前記ロック係合突部および前記ロック係合片のうちの一方には、前記雌雄のコネクタハウジングの嵌合時に、前記ロック係合突部および前記ロック係合片のうちの他方が所定の隙間を保持して対向する、前記雌雄のコネクタハウジングの嵌合方向に略垂直なロック係合面が形成されていることを特徴とするコネクタ。
【請求項３】
前記係合片および前記ロック係合片は、一括して撓むことが可能なように、互いに一体に形成されたことを特徴とする請求項２記載のコネクタ。
【発明の詳細な説明】
【０００１】
【発明の属する技術分野】
本発明はコネクタハウジングに、その一端が固定されるとともに他端が揺動可能な片持ちの係合片が形成され、その嵌合時に係合片の他端が揺動して相手側のコネクタハウジンングに形成された係合突部を乗越えた後、係合突部と対向することによってその嵌合を保持するコネクタに関する。
【０００２】
【従来の技術】
従来のコネクタにおいては、コネクタハウジングに片持ちの係合片を備え、その嵌合時に係合片の一端がコネクタハウジングに固定されながら、他端が揺動して相手側コネクタハウジングの係合突部を乗越えた後に、係合突部に形成されたコネクタの嵌合方向にほぼ垂直な係合面と対向して、双方のコネクタハウジングの外れ防止を行っている構成のものがあった（例えば、特許文献１参照）。
【０００３】
【特許文献１】
特開平１０−２４１７８８号公報（第３頁、第２図）
【０００４】
【発明が解決しようとする課題】
上述した公報に記載されたコネクタは、雌雄のコネクタハウジングの嵌合時に片持ちの係合片が揺動して係合突部の係合面より遠い部位を乗越えることができるように係合片の長さが設定されているため、嵌合が完了した時点でその正規の嵌合位置において、係合片の他端側と係合面との間に僅かな隙間が発生する。係合片と係合面との間に隙間があると、雌雄のコネクタハウジング間のがたつきの原因となり、コネクタに加えられる振動によって雌雄のコネクタハウジングに収容されている端子金具同士が摺動して双方の端子金具の磨耗が発生する。本発明は上述したような事情に基づいて完成されたものであって、雌雄のコネクタハウジング間のがたつきを防止するコネクタを提供することを目的とする。
【０００５】
【課題を解決するための手段】
上記の目的を達成するための手段として、請求項１の発明においては、それぞれ内部に端子金具を収容する雌雄のコネクタハウジングを備え、前記雌雄のコネクタハウジングの一側には係合突部が形成され、前記雌雄のコネクタハウジンングの他側には、その一端が固定されるとともに他端が揺動可能な片持ちの係合片が形成され、前記雌雄のコネクタハウジングが互いに嵌合する際に、前記係合片の他端が揺動して前記係合突部を乗越えた後、復帰して前記係合突部と係合することによって前記雌雄のコネクタハウジングの嵌合状態を保持するコネクタにおいて、前記係合突部および前記係合片のうちの一方には、前記雌雄のコネクタハウジングの嵌合時に、前記雌雄のコネクタハウジングの間のがた詰めをするために、前記係合突部および前記係合片のうちの他方が係合する、前記雌雄のコネクタハウジングの嵌合方向に傾斜した係合面が形成されていることを特徴とするコネクタとした。
【０００６】
請求項２の発明においては、それぞれ内部に端子金具を収容する雌雄のコネクタハウジングを備え、前記雌雄のコネクタハウジングの一側には係合突部およびロック係合突部が形成され、前記雌雄のコネクタハウジンングの他側には、ともにその一端が固定されるとともに、前記雌雄のコネクタハウジングが互いに嵌合する際に、これらの他端が揺動して前記係合突部あるいは前記ロック係合突部を乗越えた後、復帰して前記係合突部あるいは前記ロック係合突部と係合する片持ちの係合片およびロック係合片が形成され、前記係合片および前記係合突部のうちの一方には、前記雌雄のコネクタハウジングの嵌合時に、前記雌雄のコネクタハウジングの間のがた詰めをするために、前記係合突部および前記係合片のうちの他方が係合する、前記雌雄のコネクタハウジングの嵌合方向に傾斜した係合面が形成され、前記ロック係合突部および前記ロック係合片のうちの一方には、前記雌雄のコネクタハウジングの嵌合時に、前記ロック係合突部および前記ロック係合片のうちの他方が所定の隙間を保持して対向する、前記雌雄のコネクタハウジングの嵌合方向に略垂直なロック係合面が形成されていることを特徴とするコネクタとした。
【０００７】
請求項３の発明においては、前記係合片および前記ロック係合片は、一括して撓むことが可能なように、互いに一体に形成されたことを特徴とする請求項２記載のコネクタとした。
【０００８】
【発明の作用及び効果】
＜請求項１の発明＞
傾斜している係合面に対して、係合片あるいは係合突部が係合することにより、係合面が常に隙間を持たずに相手側部材に当接することができ、雌雄のコネクタハウジング間のがたつきを無くすことができる。
【０００９】
＜請求項２の発明＞
傾斜している係合面に対して係合片あるいは係合突部が係合することにより、雌雄のコネクタハウジング間のがたつきを無くするとともに、雌雄のコネクタハウジングの嵌合方向に略垂直なロック係合面に対して、ロック係合突部あるいはロック係合片が対向することにより、その嵌合の外れを確実に防止できる。
【００１０】
＜請求項３の発明＞
係合片およびロック係合片を一括して撓むことが可能なように、互いに一体に形成したことにより、嵌合状態にあるコネクタを、１つの操作で係合片およびロック係合片を揺動させ雌雄のコネクタハウジングの嵌合を外すことができる。
【００１１】
【発明の実施の形態】
以下、本発明の実施形態を添付図面に基づいて説明する。
＜第１実施形態＞
本発明の第１実施形態を図１ないし図４によって説明する。コネクタ装置１０を構成する雄側コネクタ１１は合成樹脂材料によって形成された雄側コネクタハウジング１２（以下、雄ハウジング１２と呼ぶ）を備えている。雄ハウジング１２の前端部には、相手側コネクタのコネクタハウジングと嵌合するフード部１２ａが形成されている。また、雄ハウジング１２に形成された雄側キャビティ１２ｂ内には雄側端子金具１３が、図示しないランスによって抜止めされた状態で収容され、雄側端子金具１３の後方には電線１３ａが接続され、雄ハウジング１２の後方から引出されている。
【００１２】
一方、雌側コネクタ２１は、やはり合成樹脂材料によって形成された雌側コネクタハウジング２２（以下、雌ハウジング２２と呼ぶ）を備えており、さらに雌ハウジング２２は端子収容部２３の上面にロックアーム２４を備えている。ロックアーム２４は長手方向のほぼ中央部分における左右の側壁の下縁が、支点部２５を介して端子収容部２３と連結されており、この支点部２５を中心としてシーソー状に揺動可能となっている。端子収容部２３の前端には、雄ハウジング１２のフード部１２ａの外周側に嵌合する保護筒２３ａが形成されている。端子収容部２３の内周側には、雌側キャビティ２３ｂが貫通している。
【００１３】
雌側キャビティ２３ｂ内には雌側端子金具２６が収容され、雌側端子金具２６の後方には電線２６ａが接続され、端子収容部２３の後方から引出されている。端子収容部２３の外周部には、防水リング２７が装着されており、図３に示すように、雄ハウジング１２と雌ハウジング２２とを嵌合させると、雄ハウジング１２のフード部１２ａと端子収容部２３との間でシール機能を発生させて、外部からコネクタ装置１０内への水入りを防止している。
【００１４】
雄ハウジング１２の外周部上側には、係合突部集合体１４が形成されており、係合突部集合体１４は２つの係合突部１４ａと、係合突部１４ａ間に形成されたロック係合突部１４ｂとによって構成されている。係合突部１４ａおよびロック係合突部１４ｂはともに雄ハウジング１２の上面から突出している。係合突部１４ａは図４に示すように、その後方に雄ハウジング１２の前方に向けて上り勾配を備えた傾斜面である係合面１４ｃが形成されている。
【００１５】
係合面１４ｃの傾斜角度は特に限定されるべきものではなく、後述する係合片２４ｂとの係合によって、互いに嵌合した雄ハウジング１２と雌ハウジング２２との間のがたつきを無くすことが可能であれば、任意の角度が適用できる。一方、ロック係合突部１４ｂは図２および図３に示すように、その後方に雄ハウジング１２の嵌合方向に対して、ほぼ垂直なロック係合面１４ｄが形成されている。また、係合突部１４ａおよびロック係合突部１４ｂはいずれも図においてその右端部に傾斜面１４ｅを備えている。
【００１６】
上述したロックアーム２４には、図１においてその左端側が３つに枝分かれして、２つの係合片２４ｂおよびそれらの間に挟まれたロック係合片２４ｃが形成されているが、その右端側には押圧部２４ａが一体に形成されており、係合片２４ｂおよびロック係合片２４ｃを相互に連結している。図２あるいは図３に示すように、押圧部２４ａの下方にはスリット２４ｆが備えられており、押圧部２４ａを上方より押圧することによって、支点部２５を支点として係合片２４ｂおよびロック係合片２４ｃを一括して撓み操作可能としている。
【００１７】
係合片２４ｂは図４に示すように、その内側端面２４ｄが上述した雄ハウジング１２の係合突部１４ａの係合面１４ｃの形状に合わせて、雌ハウジング２２の前方に向けて下り勾配を備えた傾斜面によって形成されている。内側端面２４ｄの傾斜角度は特に限定されるべきものではなく、上述した係合突部１４ａとの係合によって、雄ハウジング１２と雌ハウジング２２との間のがたつきを無くすことが可能であれば、任意の角度が適用できる。
【００１８】
一方、ロック係合片２４ｃは図２および図３に示すように、その内側端面２４ｅが上述したロック係合突部１４ｂのロック係合面１４ｄの形状に合わせて、雌ハウジング２２の嵌合方向に対して、ほぼ垂直な面に形成されている。尚、上述した傾斜した面および垂直な面は、それぞれ係合突部１４ａおよび係合片２４ｂの双方、ロック係合突部１４ｂおよびロック係合片２４ｃの双方に形成する必要はなく、少なくともそれぞれの一方に形成されていればよい。
【００１９】
次に、上述した第１実施形態によるコネクタ装置１０の嵌合方法について説明する。雄ハウジング１２のフード部１２ａを雌ハウジング２２の保護筒２３ａに挿入して嵌合を進行させると、雄側端子金具１３が雌側端子金具２６に嵌合して電気的接続が行われるとともに、ロックアーム２４の係合片２４ｂおよびロック係合片２４ｃがそれぞれ係合突部１４ａおよびロック係合突部１４ｂの傾斜面１４ｅに乗り上げ、係合片２４ｂおよびロック係合片２４ｃの左端部が、支点部２５を中心として図２および図４において時計方向に揺動する。
【００２０】
係合片２４ｂおよびロック係合片２４ｃの、それぞれ係合突部１４ａおよびロック係合突部１４ｂへの乗越えが完了すると、ロックアーム２４の復元力によって係合片２４ｂの内側端面２４ｄが、係合突部１４ａの係合面１４ｃに対し押圧されながら係合するとともに、ロック係合片２４ｃの内側端面２４ｅが、ロック係合突部１４ｂのロック係合面１４ｄと所定の間隔を保持して対向した状態となり、コネクタ装置１０の嵌合が完了する。この時、防水リング２７は雄ハウジング１２のフード部１２ａと端子収容部２３との間で防水機能を発生させる。
【００２１】
互いに傾斜した係合片２４ｂの内側端面２４ｄと係合突部１４ａの係合面１４ｃとが、互いに押圧されて係合することにより、嵌合した雄ハウジング１２と雌ハウジング２２との間のがた詰めが行われる。また、ロック係合片２４ｃの内側端面２４ｅが、ロック係合突部１４ｂのロック係合面１４ｄと所定の間隔を保持して対向しているため、雄ハウジング１２と雌ハウジング２２とを引き離す方向に荷重が働いても、嵌合方向に対して互いにほぼ垂直な内側端面２４ｅとロック係合面１４ｄとが係合するため、嵌合の外れが防止される。
【００２２】
嵌合させたコネクタ装置１０の嵌合を外す場合は、ロックアーム２４の右端部にある押圧部２４ａを上方より押圧することによって、ロックアーム２４が支点部２５を中心として、図２および図４において時計方向に揺動される。ロックアーム２４の回転によって係合片２４ｂおよびロック係合片２４ｃの左端部が、それぞれ係合突部１４ａおよびロック係合突部１４ｂを乗越えることが可能となるので、押圧部２４ａを押圧しながら雄ハウジング１２および雌ハウジング２２を互いに引き離すことによってコネクタ装置１０の嵌合を外すことができる。上述したように押圧部２４ａを押圧することで、係合片２４ｂおよびロック係合片２４ｃを一括して揺動させることができるため、コネクタ装置１０の嵌合を外す際に作業性が非常によい。
【００２３】
＜第２実施形態＞
次に、本発明の第２実施形態を図５ないし図８によって説明する。第２実施形態によるコネクタ装置３０が、上述した第１実施形態によるコネクタ装置１０と異なるのは、雌側コネクタ３１の雌側コネクタハウジング３２（以下、雌ハウジング３２と呼ぶ）に形成されたロックアーム３３の形状のみである。すなわち、第１実施形態ではロックアーム２４の端部を３つに分岐させて係合片２４ｂとロック係合片２４ｃとを構成したが、第２実施形態ではロックアーム３３を分岐させることなく、互いに一体にこれらを形成している。
【００２４】
一体に形成されたロックアーム３３は第１実施形態と同様に、その右端部に押圧部３３ａが形成されており、ロックアーム３３の先端には傾斜した２つの内側端面３３ｂと、内側端面３３ｂの間に配置され、雌ハウジング３２の嵌合方向に対してほぼ垂直な内側端面３３ｃが形成されている。第２実施形態によるコネクタ装置３０のその他の構成および嵌合方法については、第１実施形態と同様であるので詳細な説明は省略する。
【００２５】
＜第３実施形態＞
図９および図１０は本発明の第３実施形態を示す。第３実施形態によるコネクタ装置４０は、嵌合時のがたつきを解消するための係合片と、嵌合外れを防止するためのロック係合片とを別々のロックアームに形成したものである。コネクタ装置４０は雌側コネクタ４１と雄側コネクタ５１によって構成されている。雌側コネクタ４１は、内部に図示しない雌側端子金具を収容したハウジング本体４２を有している。
【００２６】
その両側面にはそれぞれ一体に形成されたがた詰め用の係合体４３および嵌合外れ防止用のロック係合体４４とを備えている。係合体４３は円周状に配置された複数の係合片４３ａと、係合片４３ａをそれらの一端にて結合した円環部４３ｂにて構成されており、ロック係合体４４は同様に円周状に配置された複数のロック係合片４４ａと、ロック係合片４４ａをそれらの一端にて結合した円環部４４ｂにて構成されている。図に示すように、係合体４３およびロック係合体４４は同一形状であってもかまわない。
【００２７】
雄側コネクタ５１は、内部に雄側端子金具を収容したハウジング本体５２と、その両側面にそれぞれ一体に形成され、雄側コネクタ５１の嵌合方向に延在した係合子５３とロック係合子５４とを備えている。係合子５３の先端部には、略算盤玉状をした係合突部５３ａが形成されている。係合突部５３ａは、その後方にハウジング本体５２の前方方向に向けて上り勾配を備えたテーパ面にて形成された係合面５３ｂを備えている。一方、ロック係合子５４の先端部には、その後方にハウジング本体５２の嵌合方向に対してほぼ垂直であるロック係合面５４ｂを備えたロック係合突部５４ａが形成されている。
【００２８】
第３実施形態によるコネクタ装置４０の嵌合方法については、雌側コネクタ４１のハウジング本体４２内に、雄側コネクタ５１のハウジング本体５２を嵌合させるとともに、係合体４３と係合子５３とを、ロック係合体４４とロック係合子５４とをそれぞれ嵌合させることによって行われる。嵌合時、係合体４３の各々の係合片４３ａは、半径方向外方へ拡張されて係合子５３の係合突部５３ａを乗越えた後、それらの復元力によって係合面５３ｂに対し係合片４３ａが半径方向内方へ付勢力を与えられた状態で係合する。一方、ロック係合体４４の各々のロック係合片４４ａはロック係合突部５４ａを乗越えた後、ロック係合面５４ｂと所定の間隔を保持して対向する。
【００２９】
上述した第１実施形態ないし第３実施形態によれば、嵌合後に雄側のコネクタハウジングに形成された傾斜面である係合面と、雌側のコネクタハウジングに形成された係合片とが係合することによって、雌雄のコネクタ間のがたつきが解消される。さらに、雄側のコネクタハウジングに形成された垂直面であるロック係合面と、雌側のコネクタハウジングに形成されたロック係合片とが対向することによって、さらにコネクタ装置の嵌合外れも確実に防止される。また、第１実施形態および第２実施形態によれば、ロックアームの押圧部を上方より押圧することによって、係合片およびロック係合片を一括して撓み可能としているため、コネクタ装置の嵌合を外す際の作業性がよい。
【００３０】
＜他の実施形態＞
本発明は上述の記載及び図面によって説明した実施形態に限定されるものではなく、例えば、次のような実施形態も本発明の技術的範囲に含まれ、さらに、以下の記載以外にも、要旨を逸脱しない範囲内で種々変更して実施することができる。
（１）本発明による係合面およびロック係合面は、係合突部側および係合片側のどちら側に形成してもよい。また、係合面の傾斜方向は、係合面が形成される部材により、雌雄のコネクタハウジングの嵌合のがたつきが解消されるような向きに形成することは言うまでもない。
（２）本発明による係合片および係合突部を形成するコネクタハウジングを、雄雌入れ換えることは可能である。
（３）係合片が係合する係合突部に形成された係合面は、その嵌合方向に傾斜していれば必ずしも直線的なものでなくても、ある程度の曲率を含んだものであってもよい。
【図面の簡単な説明】
【図１】第１実施形態によるコネクタ装置を示す上面図である。
【図２】第１実施形態によるコネクタ装置の縦断面図である。
【図３】第１実施形態によるコネクタ装置を嵌合させた時の、図１のＡ−Ａ断面図である。
【図４】第１実施形態によるコネクタ装置を嵌合させた時の、図１のＢ−Ｂ断面図である。
【図５】第２実施形態によるコネクタ装置を示す上面図である。
【図６】第２実施形態によるコネクタ装置の縦断面図である。
【図７】第２実施形態によるコネクタ装置を嵌合させた時の、図５のＣ−Ｃ断面図である。
【図８】第２実施形態によるコネクタ装置を嵌合させた時の、図５のＤ−Ｄ断面図である。
【図９】第３実施形態によるコネクタ装置を示す上面図である。
【図１０】第３実施形態によるコネクタ装置を嵌合させた時の上面図である。
【符号の説明】
１０、３０、４０…コネクタ装置
１２…雄側コネクタハウジング
１３…雄側端子金具
１４ａ、５３ａ…係合突部
１４ｂ、５４ａ…ロック係合突部
１４ｃ、５３ｂ…係合面
１４ｄ、５４ｂ…ロック係合面
２２、３２…雌側コネクタハウジング
２３…端子収容部
２４、３３…ロックアーム
２４ｂ、４３ａ…係合片
２４ｃ、４４ａ…ロック係合片
２４ｄ、２４ｅ、３３ｂ、３３ｃ…内側端面
２６…雌側端子金具
４２、５２…ハウジング本体
４３…係合体
４４…ロック係合体
５３…係合子
５４…ロック係合子
【図１】
2004207040.tif 000003
【図２】
2004207040.tif 000004
【図３】
2004207040.tif 000005
【図４】
2004207040.tif 000006
【図５】
2004207040.tif 000007
【図６】
2004207040.tif 000008
【図７】
2004207040.tif 000009
【図８】
2004207040.tif 000010
【図９】
2004207040.tif 000011
【図１０】
2004207040.tif 000012